(57)【要約】 【課題】  ウォーキングなどをする際に身体の前半身および後半身に重量を均等に加えることができる身体加重用胴衣を実現する。 【解決手段】  胴衣１１の素材として略長方形状の布地を用い、その長手方向の中央近傍に、胴衣１１を使用する者の頭部を通すための三角形状の孔部１２を設けて２つ折りにする。胴衣１１の孔部１２よりも下方となる部位に、箱体状のポケット１３を設ける。ポケット１３の上部開口を覆う蓋部１４を各ポケット１３に付設する。袋体の中に砂を収容してなる錘を、ポケット１３内に収納する。【選択図】        図１
2010162102.tif 000002
【特許請求の範囲】
【請求項１】
砂を収容した袋体（１６）、砂鉄を収容した袋体および金属体のうちのいずれか１つを錘（１５）とし、 
布地からなり略長方形状に形成された胴衣（１１）の長手方向の中央近傍に、頭部を通すための孔部（１２）を設けるとともに、正面側および背面側となる部分のそれぞれに前記錘を収納するための少なくとも１つのポケットを設けた身体加重用胴衣。
【請求項２】
砂を収容した袋体（１６）、砂鉄を収容した袋体および金属体のうちのいずれか１つであって第１の着脱テープ（２２）が固着されたものを錘（１５）とし、 
布地からなり略長方形状に形成された胴衣（１１）の長手方向の中央近傍に、頭部を通すための孔部（１２）を設けるとともに、正面側および背面側となる部分のそれぞれに前記錘に固着された第１の着脱テープと接合することにより前記錘を固定するための少なくとも１つの第２の着脱テープ（２１）が固着された身体加重用胴衣。
【請求項３】
砂を収容した袋体（１６）、砂鉄を収容した袋体および金属体のうちのいずれか１つを錘（１５）とし、 
布地からなりベスト状に形成された胴衣（３１）の正面側および背面側となる部分のそれぞれに前記錘を収納するための少なくとも１つのポケットを設けた身体加重用胴衣。
【請求項４】
砂を収容した袋体（１６）、砂鉄を収容した袋体および金属体のうちのいずれか１つであって第１の着脱テープ（２２）が固着されたものを錘（１５）とし、 
布地からなりベスト状に形成された胴衣（３１）の正面側および背面側となる部分のそれぞれに前記錘に固着された第１の着脱テープと接合することにより前記錘を固定するための少なくとも１つの第２の着脱テープ（２１）が固着された身体加重用胴衣。
【請求項５】
ジェル材の表面部を不織布で被覆してなり長方形状に形成された胴衣（４１）の長手方向の中央部に頭部を通すための孔部（４２）を設けた身体加重用胴衣。 
【発明の詳細な説明】
【技術分野】
【０００１】
本発明は身体加重用胴衣に関する。具体的には、身体の前半身および後半身に重量を均等に加えることができる身体加重用胴衣を提供せんとするものである。 
【背景技術】
【０００２】
近時、健康の維持・促進のための軽易な運動として、ウォーキングが盛んに行われるようになってきている。その場合、ウォーキングを行う者が、両腕の振りを大きくして歩速を速くするために、両手に錘（おもり）を握持して歩くことの他に、両脚の筋力を増強するために、リュックサックの中に錘あるいは重量物を収納したうえで、これを背負うことにより身体に重量を加えて歩くことも行われている。
【先行技術文献】
【特許文献】
【０００３】
【特許文献１】特開２００６−１２２０８８号公報
【発明の概要】
【発明が解決しようとする課題】
【０００４】
しかしながら、錘や重量物を収納したリュックサックを背負った場合は、身体の後半身側にのみ重量が加わり、前半身および後半身の両側が均等に加重されない。そのため、錘等を収納したリュックサックを背負ってウォーキングをする場合は、身体を直立しての歩行がしづらくなる。その結果、前屈み気味で歩かざるを得なくなり、このような姿勢での歩行は、背骨に悪影響を及ぼすことになる。
【０００５】
また、ウォーキング中に錘等がリュックサック内で左右に絶えず移動することがある。このような錘等の左右への移動も、背筋を伸ばして身体を直立した状態を維持しての歩行をしづらくするものである。また、両脚に余分な負荷を与えるものである。以上のような解決すべき課題が、錘等を収納したリュックサックを背負ってウォーキングをする場合にはあった。
【課題を解決するための手段】
【０００６】
そこで、上記課題を解決するために、本発明はなされたものである。そのために、本発明では、つぎのような手段を用いるようにした。すなわち、砂または砂鉄を収容した袋体、あるいは金属体を錘として用いる。布地からなり略長方形状に形成された胴衣の長手方向の中央近傍に、使用者の頭部を通す孔部を設けるとともに、胴衣の正面側および背面側となる部分のそれぞれに、錘を収納する少なくとも１つのポケットを設けるようにした。
【０００７】
また、砂または砂鉄を収容した袋体、あるいは金属体であって着脱テープを固着したものを錘として用いる。布地からなり略長方形状に形成された胴衣の長手方向の中央近傍に、使用者の頭部を通す孔部を設けるとともに、胴衣の正面側および背面側となる部分のそれぞれに、錘に固着された着脱テープと接合することにより錘を固定する少なくとも１つの着脱テープ固着するようにした。
【０００８】
さらには、長方形状に形成された、ジェル材の表面部を不織布で被覆してなる胴衣の長手方向の中央部に、使用者の頭部を通す孔部を設けるようにもした。 
【発明の効果】
【０００９】
本発明によるならば、身体の前半身および後半身のそれぞれに、重量を均等に加えることができ、しかも、身体を動かしても錘が左右に移動しないことから、背筋を伸ばして身体を直立した姿勢を維持してウォーキングをすることができることになる。
【００１０】
また、加重目的や年齢などに応じて、身体に加える重量を任意に調整することが可能となる。したがって、本発明によりもたらされる効果は、実用上極めて大きい。 
【図面の簡単な説明】
【００１１】
【図１】本発明の実施例１の構成を示す正面図である。
【図２】図１に示した実施例１の背面図である。
【図３】図１に示した実施例１の側面図である。
【図４】図１に示した実施例１において用いる錘の構成を示す斜視図である。
【図５】本発明の実施例２の構成を示す正面図である。
【図６】図５に示した実施例２の、錘を取り外した状態を示す正面図である。
【図７】図５に示した実施例２において用いる錘の構成を示す斜視図である。
【図８】図１および図５にそれぞれ示した胴衣の他の構成例を示す斜視図である。
【図９】本発明の実施例３の構成を示す構成図である。
【発明を実施するための形態】
【００１２】
本発明による身体加重用胴衣は、砂や収容した袋体を錘として用いる。素材として布地を用い略長方形状に形成された胴衣の長手方向の中央近傍に、使用者の頭部を通す孔部を設ける。胴衣の正面側および背面側となる部分のそれぞれに錘を収納するポケットを設ける。以下、実施例により詳しく説明する。
【実施例１】
【００１３】
本発明の一実施例の構成を、図１から図４に示し説明する。ここで、図１は、本実施例における身体加重用胴衣の構成を示す正面図、図２は背面図、図３は側面図、図４は本実施例において用いる錘の構成を示す斜視図である。
【００１４】
図１において、身体加重用の胴衣１１には、略長方形状の布地が用いられており、その長手方向の中央近傍に、胴衣１１を使用する者の頭部を通すための三角形状の孔部１２が設けられている。布地の素材は、綿などを用いた天然繊維およびポリエステルなどを用いた化学繊維のいずれであってもよい。このような胴衣１１は、図３に示すように、２つ折りにすることにより形成され、図１に示したように孔部１２を有する側が正面となる。
【００１５】
図１において、胴衣１１の孔部１２よりも下方の部位には、ここでは図示されてはいない錘を収納するための箱体状の６つのポケット１３が、３つずつ上下２段に等間隔に設けられている。そして、各ポケット１３の上部開口を覆う蓋部１４が、各ポケット１３に付設されている。ポケット１３および蓋部１４の素材は、胴衣１１の素材と同一である。
【００１６】
ここにおける蓋部１４の先端部裏側には、プラスチックの細い繊維からなる細かいフック状のものを表面に無数に密生させた着脱テープ（図示せず）が固着されるとともに、ポケット１３の正面上端部にも着脱テープが固着されており、これらの着脱テープを接合させることにより、蓋部１４の先端部は、ポケット１３に固定される。このような蓋部１４を有するポケット１３は、図２に示すように、胴衣１１の背面側にも、３つずつ上下２段に等間隔に設けられている。
【００１７】
この胴衣１１の正面側および背面側にそれぞれ設けられたポケット１３には、身体に重量を加えるための錘が収納される。錘は、図４に示すように、織り目の細かい織布あるいはナイロン繊維を用いた不織布からなる枕状の袋体１６の中に、例えば２５０ｇの砂を収容することにより構成される。
【００１８】
したがって、正面側および背面側のすべてのポケット１３に、２５０ｇの砂を収容した袋体１６からなる錘１５を収納した場合は、胴衣１１および袋体１６のそれぞれの重量を除いて、前半身および後半身にそれぞれ均等に１．５ｋｇずつ全体で３ｋｇの重量が身体に加えられることになる。
【００１９】
しかし、身体への３ｋｇの加重では、高齢者などにおいては過度の負荷を身体に与えることになる。そのような場合は、例えば、胴衣１１の正面側および背面側それぞれの中央の上下２つのポケット１３（合計４つのポケット１３）に、２５０ｇの砂を収容した錘１５を収納するならば、全体で１ｋｇの重量が身体に加えられることになり、高齢者などの身体への過度の加重を回避することができる。
【００２０】
他方、加重目的が、両脚の筋力増強や消費エネルギーの増大化によるウォーキング時間の短縮にある場合は、上述のように全体で３ｋｇの重量が身体に加わるようにするか、あるいは、より重量の大きい錘１５を各ポケット１３内の収納するようにする。
【００２１】
すなわち、本発明による身体加重用胴衣によるならば、使用者の年齢や加重目的などに応じて身体に加える重量を任意に調整することができる。そして、ウォーキングをする場合は、重量が適宜調整された身体加重用胴衣を、ウェアの上にまたはウェアの内側に着用することになる。
【００２２】
以上においては、身体加重用の胴衣１１の正面側および背面側のそれぞれに、６つのポケット１３を３つずつ上下２段に設ける場合を例に挙げて説明した。しかし、本発明は、これに限定されるものではない。正面側および背面側のそれぞれに少なくとも１つのポケット１１を設ける場合について、本発明は適用されるものである。ポケット１１が、正面側および背面側に１つずつである場合は、その設ける部位は、胴衣１１の幅方向の中央部となるようにする。
【００２３】
また、ポケット１３内に収納する錘１５が、袋体１６の中に砂を収容したものである場合について説明したが、本発明は、これに限られるものではない。その他にも、例えば、袋体１６の中に砂鉄を収容した錘１５を使用する場合、あるいは、袋体１６を用いずに金属板を錘として使用する場合についても、本発明は適用し得るものである。砂よりも比重の大きい砂鉄や金属板を使用する場合は、錘としての重量が同一（例えば、２５０ｇ）であるならば、錘の体積をより小さいものとすることができる。ただし、砂が最も安価であり、また、不要になった場合は、容易に投棄できるものである。
【００２４】
さらに、ポケット１３が蓋部１４を有する場合について説明した。これは、例えば、本発明による身体加重用胴衣を着用して腹筋運動をする場合に、上半身の屈伸動作によってポケット１３から錘１５が飛び出さないようにするためである。ウォーキングの際にのみ着用するものであれば、ポケット１３に蓋部１４を付設しなくともよい。
【実施例２】
【００２５】
図５は、本発明の他の実施例の構成を示す正面図であり、図１および図４における構成要素と同一の構成要素については、同じ符号を付している。以下では、図１から図４に示した実施例１の構成と異なるところを説明する。
【００２６】
図５において、本実施例における身体加重用胴衣では、胴衣１１にポケット１３（図１）を設けることなく、錘１５を胴衣１１に直接装着している。すなわち、図６（正面図）に示すように、胴衣１１の正面側に６つの着脱テープ２１を、３つずつ上下２段に等間隔に固着するとともに（図示は省略しているが、胴衣１１の背面側にも、同様に着脱テープ２１を固着する。）、図７（斜視図）に示すように、錘１５を構成する袋体１６に着脱テープ２２を固着する。
【００２７】
そして、胴衣１１に固着された着脱テープ２１と、錘１５に固着された着脱テープ２２とを接合することにより、錘１５を胴衣１１に固定する。その他の構成は、図１から図４に示した実施例１の構成と同じであり、その使用方法も同じである。また、錘１５として袋体１６の中に砂鉄を収容したものを使用してもよいことや、袋体１６を用いずに金属板を錘として使用してもよいことなども、図１から図４に示した実施例１について説明したところと同じである。
【００２８】
なお、以上の各実施例１，２では、身体加重用の胴衣１１として、略長方形状の布地を用い、その長手方向の中央近傍に孔部１２を設けたうえで、これを２つ折りにして形成する場合について説明した。しかし、図８（斜視図）に示すように、身体の両脇部も覆うように胴衣３１をベスト状に形成するとともに、その正面側中央の縦方向にファスナー３２を取り付けて、胴衣３１の正面側が開閉するようにしてもよい。なお、胴衣３１の正面側を開閉する手段としては、ファスナー３２ではなくボタンを用いるようにしてもよい。
【実施例３】
【００２９】
図９は、本発明のさらに他の実施例の構成を示しており、図９（ａ）は正面図、図９（ｂ）は側面図、図９（ｃ）は展開図である。 
【００３０】
図９（ａ）において、本実施例における身体加重用胴衣では、胴衣４１として、シリコン・ジェルなどのジェル材（重量は、例えば１ｋｇ）の表面部を、ナイロン繊維などの不織布で被覆したものを用いている。そして、胴衣４１は、図９（ｃ）に示すように、長方形状に形成されるとともに、その長手方向の中央部に、使用者の頭部を通すための楕円状の孔部４２が設けられ、図９（ｂ）に示すように、２つ折りにして形成される。
【００３１】
このように、ジェル材を用いて胴衣４１を構成するならば、例えば、冬季の早朝にウォーキングをするような場合は、あらかじめ温めておいた胴衣１１をウェアの内側に着用してウォーキングをすることができることになる。
【産業上の利用可能性】
【００３２】
本発明による身体加重用胴衣は、ウォーキングにおいてのみならず、その他にも腹筋運動やスクワット運動などにおいても利用することができる。 
【符号の説明】
【００３３】
１１  胴衣 
１２  孔部 
１３  ポケット 
１４  蓋部 
１５  錘 
１６  袋体 
２１，２２  着脱テープ 
３１  胴衣 
３２  ファスナー 
４１  胴衣 
４２  孔部 
【図１】
2010162102.tif 000003
【図２】
2010162102.tif 000004
【図３】
2010162102.tif 000005
【図４】
2010162102.tif 000006
【図５】
2010162102.tif 000007
【図６】
2010162102.tif 000008
【図７】
2010162102.tif 000009
【図８】
2010162102.tif 000010
【図９】
2010162102.tif 000011